(57)【要約】【課題】複数の画像を並べて表示できるカメラシステムにおいて、利便性を高める。【解決手段】カメラシステム１００は、撮像光学系Ｌと、撮像部４５と、液晶モニタ１６と、ボディーマイコン１２と、絞り設定部２９と、画像表示制御部１５と、を有している。ボディーマイコン１２は、対象絞り値および関連絞り値を設定条件として設定可能であり、対象絞り値に基づいて関連絞り値を決定する。絞り設定部２９は設定条件に基づいて撮影条件を調節する。画像表示制御部１５は、関連絞り値で撮像部４５により取得された関連画像ａ１の一部を関連表示画像Ａ１として第１表示領域Ｒ１３１に表示させ、対象絞り値で撮像部４５により取得された対象画像ｂ１の一部を対象表示画像Ｂ１として第２表示領域Ｒ１３２に表示させる。【選択図】図１５
2008299157.tif 000002
【特許請求の範囲】
【請求項１】
被写体の光学像を形成する撮像光学系と、
前記光学像を画像信号に変換し前記被写体の画像を取得する撮像部と、
前記撮像部により取得された複数の前記画像を並べて表示可能なように第１および第２表示領域を有する表示部と、
第１撮影条件および第２撮影条件を設定条件として設定可能であり、前記第１撮影条件および第２撮影条件のうち一方に基づいて他方を決定する条件設定部と、
前記設定条件に基づいて撮影条件を調節する条件調節部と、
前記第１撮影条件下において前記撮像部により取得された第１画像の少なくとも一部を第１表示画像として第１表示領域に表示させ、前記第２撮影条件下において前記撮像部により取得された第２画像の少なくとも一部を第２表示画像として第２表示領域に表示させる表示制御部と、
を備えたカメラシステム。
【請求項２】
前記条件設定部は、第３撮影条件を前記設定条件として設定可能であり、前記第１および第２撮影条件のうち一方に基づいて前記第３撮影条件を決定し、
前記第３撮影条件が前記第１撮影条件に基づいて決定される場合、前記表示制御部は、前記第２表示画像に代えて、前記第１および第３表示画像を前記表示部に並べて表示させ、
前記第３撮影条件が前記第２撮影条件に基づいて決定される場合、前記表示制御部は、前記第１表示画像に代えて、前記第２および第３表示画像を前記表示部に並べて表示させる、
請求項１に記載のカメラシステム。
【請求項３】
前記第３撮影条件が前記第１撮影条件に基づいて決定される場合、前記表示制御部は、前記第１表示画像を前記第２表示領域に表示させ、前記第３表示画像を前記第１表示領域に表示させ、
前記第３撮影条件が前記第２撮影条件に基づいて決定される場合、前記表示制御部は、前記第２表示画像を前記第１表示領域に表示させ、前記第３表示画像を前記第２表示領域に表示させる、
請求項２に記載のカメラシステム。
【請求項４】
前記条件設定部は、前記第１および第２撮影条件のうち前記一方から所定の幅だけ変化させて前記他方を決定する、
請求項３に記載のカメラシステム。
【請求項５】
前記第１および第２撮影条件のうち前記一方を入力可能な条件入力部をさらに備えた、
請求項４に記載のカメラシステム。
【発明の詳細な説明】
【技術分野】
【０００１】
本発明は、カメラシステム、特に、複数の画像を並べて表示できるカメラシステムに関する。
【背景技術】
【０００２】
近年、一眼レフデジタルカメラが急速に普及している。この一眼レフデジタルカメラでは、光学ファインダを用いて被写体を観察する場合、撮像光学系に入射した光が、光路上に配置された反射ミラーにより反射され、ファインダ光学系に導かれる。この結果、ペンタプリズム等を介して被写体像が正立像に変換され、光学ファインダに導かれる。これにより、撮影者は、撮像光学系により形成された被写体像を光学ファインダから観察できる。このように、通常は光路上に反射ミラーが配置されている。
一方、被写体の光学像を画像信号に変換する場合は、反射ミラーが光路から待避し、撮像光学系からの光が撮像素子に入射する。これにより、撮像素子において光電変換が行われ、被写体の画像データが得られる。撮影が終了すると、反射ミラーは光路上に挿入され定位置に戻る。このような反射ミラーの動作は、一眼レフカメラであれば、従来の銀塩カメラでも、デジタルカメラでも同様である。
【０００３】
しかし、反射ミラーの定位置が光路上である場合、撮像素子に撮像光学系からの光が入射しない。このため、デジタルカメラの場合、前述のシステムでは撮影者が液晶モニタを用いて被写体を観察するモニタ撮影モードを実現できず、このようなカメラシステムは撮影に不慣れな初心者にとっては不便である。
そこで、撮影時に液晶モニタを用いて撮影できる一眼レフデジタルカメラが提案されている（例えば、特許文献１を参照）。このカメラシステムでは、モニタ撮影モードにおいて、反射ミラーが光路外に退避し、撮像光学系からの光が撮像素子に入射する。これにより、液晶モニタにより被写体を観察することができる。
また一般に、一眼レフデジタルカメラの撮像素子は、通常のコンパクトデジタルカメラの撮像素子に比べてサイズが大きい。このため、撮像素子上に被写体の光学像が結像される際、焦点が合っている領域が少なく、被写界深度が浅くなる傾向にある。したがって、一眼レフデジタルカメラの場合、絞りを調整して被写界深度を確認することが重要となる。
【０００４】
そこで、例えば撮影条件を変更して撮影された複数の画像を並べて表示できるカメラシステムが提案されている（特許文献２）。
【特許文献１】特開２００１−１２５１７３号公報
【特許文献２】特開平６−６８０７号公報
【発明の開示】
【発明が解決しようとする課題】
【０００５】
しかしながら、例えば、撮影条件が異なる複数の画像を単に並べて表示するだけでは、両画像の撮影条件の関連性が不明確となり、画像を比較する際の利便性に欠ける。
本発明の課題は、複数の画像を並べて表示できるカメラシステムにおいて、利便性を高めることにある。
【課題を解決するための手段】
【０００６】
第１の発明に係るカメラシステムは、撮像光学系と、撮像部と、表示部と、条件設定部と、条件調節部と、表示制御部と、を備えている。撮像光学系は被写体の光学像を形成する。撮像部は、光学像を画像信号に変換し、被写体の画像を取得する。表示部は、撮像部により取得された複数の画像を並べて表示可能なように第１および第２表示領域を有している。条件設定部は、第１撮影条件および第２撮影条件を設定条件として設定可能であり、第１撮影条件および第２撮影条件のうち一方に基づいて他方を決定する。条件調節部は設定条件に基づいて撮影条件を調節する。表示制御部は、第１撮影条件下において撮像部により取得された第１画像の少なくとも一部を第１表示画像として第１表示領域に表示させ、第２撮影条件下において撮像部により取得された第２画像の少なくとも一部を第２表示画像として第２表示領域に表示させる。
このカメラシステムでは、第２表示画像の第２撮影条件が第１表示画像の第１撮影条件に基づいて条件設定部により決定されているため、第１表示画像と第２表示画像とが関連した撮影条件下において取得されている。これにより、両画像の関連性を高めることができ、画像を比較する際の利便性を高めることができる。
ここで、撮影条件としては、例えば、絞り値、シャッタースピード、露出値などが挙げられる。
【０００７】
第２の発明に係るカメラシステムは、第１の発明に係るカメラシステムにおいて、条件設定部が、第３撮影条件を設定条件として設定可能であり、第１および第２撮影条件のうち一方に基づいて第３撮影条件を決定する。第３撮影条件が第１撮影条件に基づいて決定される場合、表示制御部は、第２表示画像に代えて、第１および第３表示画像を表示部に並べて表示させる。第３撮影条件が第２撮影条件に基づいて決定される場合、表示制御部は、第１表示画像に代えて、第２および第３表示画像を表示部に並べて表示させる。
【０００８】
第３の発明に係るカメラシステムは、第２の発明に係るカメラシステムにおいて、第３撮影条件が第１撮影条件に基づいて決定される場合、表示制御部が、第１表示画像を第２表示領域に表示させ、第３表示画像を第１表示領域に表示させる。第３撮影条件が第２撮影条件に基づいて決定される場合、表示制御部は、第２表示画像を第１表示領域に表示させ、第３表示画像を第２表示領域に表示させる。
【０００９】
第４の発明に係るカメラシステムは、第３の発明に係るカメラシステムにおいて、条件設定部が第１および第２撮影条件のうち一方から所定の幅だけ変化させて他方を決定する。
ここで、所定の幅とは、例えば、絞り値や露出値（ＥＶ：Ｅｘｐｏｓｕｒｅ  Ｖａｌｕｅ）の変更可能単位を意味している。所定の幅が絞り値である場合、所定の幅として１段などが考えられ、所定の幅が露出値である場合、所定の幅としては１／２ＥＶや１／３ＥＶなどが考えられる。
第５の発明に係るカメラシステムは、第４の発明に係るカメラシステムにおいて、第１および第２撮影条件のうち一方を入力可能な条件入力部をさらに備えている。
【発明の効果】
【００１０】
本発明に係るカメラシステムは、上記の構成を有しているため、画像を比較する際の利便性を高めることができる。
【発明を実施するための最良の形態】
【００１１】
［第１実施形態］
以下、図面を参照しながら本発明の実施の形態について説明する。
＜1：カメラシステムの全体構成＞
本発明の第１実施形態に係るカメラシステム１００について説明する。図１に本発明の第１実施形態に係るカメラシステム１００の全体構成図を示す。
図１に示すカメラシステム１００は、交換レンズ式の一眼レフデジタルカメラシステムである。カメラシステム１００は、カメラ本体１と交換レンズユニット２とから構成される。
また、カメラシステム１００と交換レンズユニット２とは、それぞれに設けられた交換レンズユニット２側のレンズマウント２１の電気切片２２（図示せず）と、カメラシステム１００側のボディーマウント２３の電気切片２４（図示せず）とを介して、各種の制御信号の通信を行う。
【００１２】
（１．１：交換レンズユニットの構成）
交換レンズユニット２は、主に、撮像光学系Ｌと、撮像光学系Ｌの絞りを調整するための条件調節部としての絞り設定部２９と、交換レンズユニット２の各種シーケンスを制御するレンズマイコン２０とから構成される。交換レンズユニット２は、レンズマウント２１を有し、カメラ本体１のボディ前面に設けられたボディーマウント２３に取り外し可能に装着される。
交換レンズユニット２は、被写体の光学像を形成するための撮像光学系Ｌを有する。また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
【００１３】
撮像光学系Ｌは、主に、フォーカスレンズ群２５と、絞りユニット２８とから構成される。
絞り設定部２９は、主に、撮影者が回転操作することで絞り値を入力することができる条件入力部としての絞りリング４０と、絞りリング４０の回転角度に応じた物理量を出力する絞りリニアセンサ４１と、絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部４７等に対し、命令（例えば、制御信号やコマンド）を出力することで、フォーカス制御部２６、絞り制御部２７、シフト制御部４７等にそれぞれの制御を実行させる。また、レンズマイコン２０は、ボディーマイコン１２とインターフェースを介して接続され、ボディーマイコン１２とマイコン間通信を行う。
【００１４】
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部４５と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。
交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００１５】
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラシステム１００内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示制御部１５は、撮像センサ１１より画像データを読み出し、所定の画像処理を行った後、液晶モニタ１６に撮影画像を表示させる。また、画像記録制御部１７は、図示せぬＳＤカードなどの記録媒体に対して、画像記録部１８を介して、撮影画像の読み書きを行う。
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部６０により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
【００１６】
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部４５は、主に、光電変換を行うＣＣＤなどの撮像センサ１１と、撮像センサ１１を制御する撮像センサ制御部１３とから構成され、被写体像を撮影画像として取得する。撮像部４５により、入射光による被写体像が、撮影画像を形成する電気信号に変換される。
【００１７】
画像表示部は、液晶モニタ１６と、液晶モニタ１６の動作を制御する画像表示制御部１５とから構成されている。画像記録部１８は、例えば、図示せぬカード型記録媒体に対して撮影画像の記録および再生を行う。画像記録部１８は、画像記録部１８の動作を制御する画像記録制御部１７により制御される。液晶モニタ１６は、複数の画像を並べて表示可能なように、例えば２つの表示領域を有している。画像表示制御部１５は、液晶モニタ１６の２つの表示領域に異なる画像を別々に表示させることができる。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００１８】
後述するように、ボディーマイコン１２はさらに、絞りリング４０の指示値を対象絞り値として設定する機能、対象絞り値に基づいて関連絞り値を決定する機能、絞りリング４０の操作に応じて対象絞り値および関連絞り値の再設定を行う機能などを有している。ボディーマイコン１２は撮影条件を設定する条件設定部の一例である。また、ボディーマイコン１２は、絞り設定部２９での絞り値が対象絞り値または関連絞り値になるように、絞り制御部２７に制御信号を送信可能である。
（１．３：ファインダ撮影モードとモニタ撮影モード）
このカメラシステム１００は、撮影モードとして、ファインダ撮影モードとモニタ撮影モードとを有する。ファインダ撮影モードは、撮影者がファインダ接眼窓９を介して被写体を観察しながら撮影するモードであり、従来の一眼レフカメラにおける通常の撮影モードである。
【００１９】
このファインダ撮影モードにおいては、図２に示すように、クイックリターンミラー４は、光路Ｘ内の所定位置に配置されており、被写体光は、ファインダ光学系１９に導かれるので、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
モニタ撮影モードは、撮影者が液晶モニタ１６に表示される被写体を観察しながら撮影するモードである。モニタ撮影モードでは、図３に示すように、クイックリターンミラー４が光路Ｘ内から退避する。液晶モニタ１６には、撮像センサ１１を介して被写体の画像、いわゆるスルー画像が表示される。
（１．４：交換レンズユニットの上面の構成）
図４は、本発明の第１実施形態に係る交換レンズユニット２を取り付けたカメラシステム１００の上面図である。なお、図４に示すように、Ｘ軸、Ｙ軸およびＺ軸を定義する（撮像光学系Ｌを構成するレンズの光軸と平行にＺ軸をとる）。
【００２０】
カメラシステム１００は、被写体を撮影する際に撮影者等により支持される筐体を有する。このカメラシステム１００は、レリーズボタン３０と、シャッタースピード設定ダイヤル３１とを含む。レリーズボタン３０と、シャッタースピード設定ダイヤル３１とは、カメラ本体１の上面の右側に設けられている。
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
また、カメラシステム１００本体は、液晶モニタ１６を含む。液晶モニタ１６は、カメラシステム１００本体の撮影者等側の面に設けられている。液晶モニタ１６の作用については後述する。
【００２１】
交換レンズユニット２は、最も被写体側（Ｚ軸方向正側）に、フィルタマウント３７を持つ。交換レンズユニット２は、フィルタマウント３７からカメラシステム１００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
（１．５：カメラ本体の背面の構成）
図５は、本発明の第１実施形態に係るカメラシステム１００の背面図である。カメラシステム１００本体は、電源ボタン７０、撮影／再生モード切り替えレバー７１、ＭＥＮＵボタン７２、十字操作キー７３、ＳＥＴボタン７４、及び深度確認ボタン７６を含む。
【００２２】
電源ボタン７０は、カメラシステム１００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム１００において、被写体を新たに撮影して画像信号にするために設定されるモードである。また、再生モードとは、カメラシステム１００において、既に撮影して格納されている画像信号を表示させるために設定されるモードである。
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
【００２３】
深度確認ボタン７６は、後述する深度確認モードへ移行させるためのボタンである。カメラシステム１００では、撮影者がこの深度確認ボタン７６を押すことにより、深度確認モードへと移行される。
（１．６：絞りについて）
絞りリング４０は、円筒形状である。図６（ａ）は、本発明の第１実施形態に係る絞りリングの外周面の展開図、図６（ｂ）は、本発明の第１実施形態に係る絞りリングの内周面の展開図である。
図４および図６（ａ）に示すように、絞りリング４０の外周面には、絞り値が表示されている。絞り値の表示領域は、２つの領域に分かれている。図６（ａ）中、「２」から「１１」までの１ＡＶ（Ａｐｅｒｔｕｒｅ  Ｖａｌｕｅ）ごとの表示部分がマニュアル領域の絞り値に対応する。また、図６（ａ）中、「Ａ」の表示部分がオート領域の絞り値に対応する。図４および図６（ｂ）に示すように、絞りリング４０は、内周面に直線のカム溝４２を持つ。なお、絞り値については、１ＡＶごとの選択に限定されるものではない。
【００２４】
また、交換レンズユニット２は、その内部に絞りユニット２８を有する。絞りユニット２８は、内部に絞り羽根（図示せず）を駆動するための絞り駆動モータ２８ｂを含む。絞り駆動モータ２８ｂは、後述する制御により、絞りリング４０の回転角度に応じて絞り羽根を駆動する。この絞り羽根が駆動されることにより、撮像光学系Ｌの絞り値が変更される。
図７は、本発明の第１実施形態に係る絞りリング４０と絞りリニアセンサ４１との結合を示す部分断面図である。絞りリニアセンサ４１は、絞りリング４０の半径方向外側に突出する円筒形状の摺動子４１ａを含む。絞りリング４０に形成されたカム溝４２は、絞りリニアセンサ４１の摺動子４１ａと結合する。
この絞りリニアセンサ４１は、主に、図８（ａ）に示すように可変抵抗器を有する回路により構成される。図８（ａ）における端子Ｔ２は、図７の摺動子４１ａに接続されており、端子Ｔ２およびＴ３は、図７の絞りリニアセンサの両端部４１ｂおよび４１ｃにそれぞれ接続されている。端子Ｔ１，Ｔ３間に所定の電圧を印可すると、絞りリニアセンサ４１に設けられた円筒状の摺動子４１ａが、絞りリニアセンサ４１内にある磁気抵抗体（図示せず）上をスライドすることにより、端子Ｔ２の出力（出力電圧）は、図８（ｂ）に示すようにリニアに変化する。
【００２５】
図９は、本発明の第１実施形態に係る絞りリング４０の回転角度と絞りリニアセンサ４１の出力値（出力電圧値）との関係を示すグラフである。図４および図６において、絞りリング４０を回転させて、絞りリング４０上の文字「２」が表示されている位置を、指標３３の位置と一致させた場合、絞りリニアセンサ４１の摺動子４１ａは、カム溝４２上のＰの位置にある。その場合、絞りリニアセンサ４１の出力値（出力電圧値）は、Ｐ‘となる。つまり、絞りリング４０上の文字「２」が表示されている位置を指標３３の位置と一致させた場合の絞りリング４０の回転角度に対応する、絞りリニアセンサ４１の出力電圧値は、Ｐ’となる。
同様に、絞りリング４０を回転させて、絞りリング４０上の文字「２．８」、「４」、「５．６」、「８」、「１１」および「Ａ」が表示されている位置を、指標３３の位置と一致させた場合、絞りリニアセンサ４１の摺動子４１ａのカム溝４２上の位置は、それぞれ、Ｑ、Ｒ、Ｓ、Ｔ、ＵおよびＶの位置にある。その場合、絞りリニアセンサ４１の出力値（出力電圧値）は、それぞれ、Ｑ‘、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合の絞りリング４０の回転角度に対応する、絞りリニアセンサ４１の出力電圧値は、それぞれ、Ｑ‘、Ｒ’、Ｓ’、Ｔ’、Ｕ’およびＶ’となる。
【００２６】
このように、絞りリニアセンサ４１は、絞りリング４０の回転角度と一対一で対応する出力（出力電圧値）を示す。したがって、絞りリニアセンサ４１により、絞りリング４０の回転角度を検出することができる。絞りリニアセンサ４１は、回転角度に応じた絞り値信号を電圧変化として出力する。
（１．７：カメラ本体の制御システム）
図１０は、本発明の第１実施形態に係るカメラシステム１００の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
【００２７】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
【００２８】
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
【００２９】
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。
【００３０】
画像記録部１８は、画像記録制御部１７の命令に基づいて、画像信号を内部メモリ及び／又はリムーバブルメモリに記録する。画像記録部１８は、画像記録制御部１７の命令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
液晶モニタ１６は、画像表示制御部１５の命令に基づいて、画像信号を可視画像として表示する。液晶モニタ１６は、画像表示制御部１５の命令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
また、液晶モニタ１６は、画像表示制御部１５の命令に基づいて、所定の撮影／再生モードにおいて、撮影者等により設定されるべき設定画面を表示する。
【００３１】
撮影者等が撮影する場合には、電源ボタン７０をＯＮにし、撮影／再生モード切り替えレバー７１を撮影モードに合わせる。これによりカメラシステム１００本体の電源が入り、液晶モニタ１６には、撮像センサ１１により電気的な画像信号に変換された被写体の光学像が可視画像として、画像表示制御部１５の命令に基づいて表示される。
カメラシステム１００が撮影モードにある状態において、撮影者等がＭＥＮＵボタン７２を押すと、液晶モニタ１６は、画像表示制御部１５の命令に基づき、撮影モードにおいて撮影者等により変更可能な設定の項目を、アイコン化した設定メニュー画像として表示する。
（１．８：交換レンズユニットの制御システム）
図１１は、本発明の第１実施形態に係る交換レンズユニット２内の制御システムを示すブロック図である。
【００３２】
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００３３】
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：カメラシステムの動作＞
（２．１：カメラシステム１００の撮影動作（ファインダ撮影モード））
次に、カメラシステム１００の撮影動作について説明する。まず、図１、図２、図１０および図１１に基づき、撮影者等が、ファインダ接眼窓９を覗いて撮影するファインダ撮影モードにおける駆動シーケンスについて説明する。
【００３４】
撮影者等のレリーズボタン３０の半押し動作により、カメラシステム１００内のボディーマイコン１２および各種ユニットには、電源が供給される。電源供給により起動するカメラシステム１００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３５】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、液晶モニタ１６に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００３６】
（２．２：モニタ撮影モードの動作）
次に、図１、図３、図１０および図１１に基づき、撮影者等が液晶モニタ１６を用いて撮影するモニタ撮影モードにおける駆動シーケンスについて説明する。
液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、液晶モニタ１６に撮影画像として表示される。このように、撮影画像を液晶モニタ１６に表示させることにより、撮影者等は、ファインダ接眼窓９を覗くことなく、被写体を追いかけることが可能となる。
【００３７】
次に、撮影者等のレリーズボタン３０の半押し動作により、カメラシステム１００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３８】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を液晶モニタ１６上の撮影画像として見ることができる。
【００３９】
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム１００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図１０を用いて、カメラシステム１００の露出設定動作について説明する。カメラシステム１００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００４０】
カメラシステム１００の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字「Ａ」を指標３３と一致させた状態で、シャッタースピード設定ダイヤル３１をオートの位置に合わせることで、プログラム撮影モードに設定することができる。撮影者等は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者等は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者等は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００４１】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ４１は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ４１から受信した信号に基づいて露出設定モードがオート絞りモードであると判断する。判断した結果は、レンズマイコン２０およびボディーマイコン１２へ送信される（ボディーマイコン１２への送信は、レンズマイコン２０とボディーマイコン１２とのマイコン間通信を介して行われる。）。
【００４２】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００４３】
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６、制御信号の内容がシャッタースピード優先撮影モードを指示するものであるとき、露出設定モードがシャッタースピード優先撮影モードである旨の表示を行う。
【００４４】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のオート絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４５】
画像記録部１８は、画像記録制御部１７の命令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ４１から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
【００４６】
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの命令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
【００４７】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
【００４８】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のマニュアル絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４９】
画像記録部１８は、画像記録制御部１７の命令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：深度確認モードの動作）
このカメラシステム１００では、絞り値の異なる複数の画像を並べて比較できるように、深度確認モードがさらに設けられている。図１２〜図１４を用いて深度確認モードにおける具体的な動作について説明する。図１２および図１３は深度確認モードにおけるフローチャートである。図１４および図１５は深度確認モードにおいて液晶モニタ１６に表示される画像の一例である。
【００５０】
この深度確認モードでは、撮影する対象画像および対象画像に関連した関連画像が液晶モニタ１６に左右に並んだ状態で表示される。対象画像および関連画像は、異なる撮影条件で取得された画像であるが、撮影条件が互いに関連するように、関連画像の撮影条件（第１撮影条件）は対象画像の撮影条件（第２撮影条件）に基づいて決定されている。
具体的には図１２に示すように、カメラシステム１００のボディーマイコン１２により、深度確認ボタン７６（図５）が押されたか否かが判断される（ステップＳ１）。深度確認ボタン７６が押された場合には、深度確認モードに移行する。具体的には、撮影モードがモニタ撮影モードであるか否かがボディーマイコン１２により判断される（ステップＳ２）。撮影モードがモニタ撮影モードである場合、液晶モニタ１６には被写体のライブ画像が表示されている。一方、撮影モードがファインダ撮影モードである場合、クイックリターンミラー４が光路Ｘから退避し、モニタ撮影モードに切り換えられる（ステップＳ３）。このとき、例えば、絞りリング４０により現在設定されている絞り値（例えばＦ１１）が絞り制御部２７により検出される（ステップＳ４）。検出された絞り値が対象絞り値（第２撮影条件）としてレンズマイコン２０からボディーマイコン１２に送信され、ボディーマイコン１２のメモリ６８に記憶される。これにより、絞り値Ｆ１１が対象絞り値として設定される（ステップＳ５）。
【００５１】
対象絞り値に基づいて関連絞り値（第１撮影条件）が設定される。具体的には、対象絞り値Ｆ１１から１段（所定の幅）減算された絞り値Ｆ８がボディーマイコン１２により関連絞り値として設定される（ステップＳ６）。例えば、絞り値が１段減算されると絞りを通して取り込まれる光の量が２倍になり、絞り値が１段加算されると絞りを通して取り込まれる光の量が半分になる。なお、ここでは対象絞り値から１段減算された絞り値が関連絞り値として設定されているが、関連絞り値は１段加算された絞り値であってもよい。
対象絞り値および関連絞り値の設定が完了すると、実際の絞り値が関連絞り値Ｆ８になるように、絞り設定部２９により絞りが調節され、撮像部４５により関連画像ａ１（第１画像）が取得される（ステップＳ７、Ｓ８）。図１４に示すように、関連画像ａ１の一部が関連表示画像Ａ１（第１表示画像）として第１表示領域Ｒ１３１に表示される（ステップＳ９）。関連表示画像Ａ１は１枚の静止画である。このとき、関連絞り値Ｆ８が関連表示画像Ａ１の上側に表示される。関連画像ａ１における関連表示画像Ａ１の範囲は、例えばボディーマイコン１２により予め設定されている。
【００５２】
次に、実際の絞り値が対象絞り値になるように、絞り設定部２９により絞りが調節され、撮像部４５により所定の周期で複数の対象画像ｂ１（第２画像）が順次取得される（ステップＳ１０、Ｓ１１）。図１４に示すように、対象画像ｂ１の一部が対象表示画像Ｂ１（第２表示画像）として第２表示領域Ｒ１３２に表示される（ステップＳ１２）。対象表示画像Ｂ１は被写体の実時間画像（ライブ画像）である。対象絞り値Ｆ１１が対象表示画像Ｂ１の上側に表示される。対象画像ｂ１における対象表示画像Ｂ１の範囲は、例えばボディーマイコン１２により予め設定されている。
ここでは、対象表示画像Ｂ１は、絞り値が対象絞り値Ｆ１１であるため、関連表示画像Ａ１に比べて真ん中の人物と背景との両方に概ね焦点が合っており、被写界深度が比較的深い。一方、関連表示画像Ａ１は、絞り値が関連絞り値Ｆ８であるため、対象表示画像Ｂ１に比べて真ん中の人物には焦点が合っているが背景には焦点が合っておらず、被写界深度が比較的浅い。
【００５３】
このように、絞りリング４０の指示値を利用して対象表示画像Ｂ１および関連表示画像Ａ１は自動的に取得される。このため、絞り値が隣り合う対象表示画像Ｂ１および関連表示画像Ａ１を撮影者は比較でき、撮影条件が関連する２枚の画像を容易に比較することができる。
次に、図１３に示すように、深度確認ボタン７６が操作されたか否かが判断される（ステップＳ１２）。具体的には、撮影者が比較画像Ｂの対象絞り値Ｆ１１を最終的な撮影条件として決定する場合、撮影者により深度確認ボタン７６が押される。図１３に示すように、深度確認ボタン７６が押されると、絞り値がＦ１１の状態で撮像部４５により画像が取得される。この画像は、最終画像Ｃとして液晶モニタ１６に表示され、画像記録部１８に記憶される（ステップＳ１９）。最終画像Ｃが記憶されると、深度確認モードが終了する。
【００５４】
一方、深度確認ボタン７６が操作されていない場合、絞り制御部２７により絞りリング４０が操作されたか否かが判断される（ステップＳ１３）。絞りリング４０が操作されていない場合、深度確認ボタン７６および絞りリング４０からの入力待ち状態となる。
絞りリング４０が操作された場合、指示値が１段増えたか１段減ったかが絞り制御部２７により判断される（ステップＳ１４）。例えば、絞りリング４０の指示値がＦ１１からＦ１６に変更された場合、絞り値が１段増えているため、対象絞り値Ｆ１１が新しい関連絞り値としてボディーマイコン１２により設定される（ステップＳ１５）。さらに、対象絞り値Ｆ１１に１段加算されたＦ１６が新しい対象絞り値としてボディーマイコン１２により設定される（ステップＳ１６）。対象絞り値の設定が完了すると、新たに画像が取得され、図１５の右下に示すように、新しい関連表示画像Ａ２が第１表示領域Ｒ１３１に表示される（ステップＳ８、Ｓ９）。このとき、絞り設定部２９での絞り値がＦ１１の状態で関連表示画像Ａ２の取得が行われる。
【００５５】
関連表示画像Ａ２の表示完了後、実際の絞り値が対象絞り値Ｆ１６になるように、絞り設定部２９により絞りが調節され、図１５の右下に示すように、第２表示領域Ｒ１３２に被写体の動画が対象表示画像Ｂ２として表示される（ステップＳ１０、Ｓ１１）。
一方、絞りリング４０の指示値がＦ１１からＦ８に変更された場合、絞り値が１段減っているため、関連絞り値Ｆ８が新しい対象絞り値としてボディーマイコン１２により設定される（ステップＳ１４、Ｓ１７）。さらに、新しい対象絞り値Ｆ８から１段減算されたＦ５．６が新しい関連絞り値としてボディーマイコン１２により設定される（ステップＳ１８）。関連絞り値の設定が完了すると、新たに関連表示画像Ａ３を取得するために、絞り設定部２９により絞り値が関連絞り値Ｆ５．６になるように絞りが調節される（ステップＳ７）。絞り調節完了後、新たに関連表示画像Ａ３が取得され、図１５の右下に示すように、新しい関連表示画像Ａ３が第１表示領域Ｒ１３１に表示される（ステップＳ８、Ｓ９）。
【００５６】
関連表示画像Ａ３の表示完了後、実際の絞り値が対象絞り値Ｆ８になるように、絞り設定部２９により絞りが調節され、図１５の左下に示すように、第２表示領域Ｒ１３２に被写体の動画が対象表示画像Ｂ３として表示される（ステップＳ１０、Ｓ１１）。以後、深度確認ボタン７６が操作されるまで、これらのステップが繰り返される。
このように、カメラシステム１００では、隣り合う絞り値で撮影された２つの画像を並べて表示できる。このため、例えば、撮影条件の変化に伴う画像の変化を撮影者が確認しやすくなり、好みの撮影条件を探しやすい。これにより、表示されている複数の画像の関連性を高めることができ、画像を比較する際の利便性を高めることができる。
［他の実施形態］
本発明の具体的な構成は、前述の実施形態に限られるものではなく、発明の要旨を逸脱しない範囲で種々の変更および修正が可能である。
【００５７】
（１）
前述の実施形態では、対象表示画像が動画であり、関連表示画像が静止画である。しかし、対象表示画像および関連表示画像がともに動画である場合も考えられる。この場合、例えば、絞り設定部２９により絞り値が交互に対象絞り値および関連絞り値になるように絞りが調節され、絞り調節動作に伴い対象表示画像および関連表示画像が交互に取得される。これにより、撮影対象である対象表示画像と並んで、対象表示画像に関連する撮影条件で取得された関連表示画像が動画にて表示される。これにより、撮影者がフレーミングを変更する場合や被写体が動く場合においても、ほぼ同じ構図で両画像を比較することが可能となる。これにより、画像を並べて比較する際の利便性がさらに高まる。
また、対象表示画像および関連表示画像がともに静止画である場合も考えられる。
【００５８】
さらに、異なる撮影条件で連続撮影された一連の画像群を再生モードにより確認する際に、隣り合う撮影条件の２枚の画像を並べて表示させる場合も考えられる。
（２）
前述の実施形態では、撮影条件が絞り値であるが、撮影条件は絞り値に限定されない。例えば、シャッタースピード、露出値、撮影モードなどであってもよい。
また、前述の実施形態では、所定の幅が絞り値の１段分である。しかし、所定の幅が２段に設定されていてもよい。また例えば、撮影条件が露出値の場合、所定の幅として１／２ＥＶや１／３ＥＶなどが考えられる。また、所定の幅が撮影者により設定可能な構成も考えられる。
（３）
前述の実施形態では、深度確認モードに移行した際の最初の対象絞り値が絞りリング４０の指示値に設定される。しかし、例えば、最初の対象絞り値がボディーマイコン１２などにより予め設定されていてもよい。例えば、最初の対象絞り値が最小絞り値（例えばＦ１）、中央値（例えばＦ８）および最大絞り値（例えばＦ２２）のうち１つの絞り値に自動的に設定される場合も考えられる。また、撮影者により最初の対象絞り値が設定可能な構成も考えられる。
【００５９】
また、前述の実施形態では、最初の対象絞り値から関連絞り値を決定する際、絞り値を１段減算して関連絞り値が算出されている。しかし、対象絞り値に１段加算して関連絞り値が算出される場合も考えられる。また、
（４）
前述の実施形態では、交換レンズユニット２に搭載された絞りリング４０を用いて撮影条件の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。例えば、十字操作キー７３により絞り値を１段ずつ変更できる構成であってもよい。
【００６０】
（５）
前述の実施形態では、対象表示画像が右側の第２表示領域Ｒ１３２に表示されており、関連表示画像が左側の第１表示領域Ｒ１３１に表示されている。しかし、対象表示画像が第１表示領域Ｒ１３１、関連表示画像が第２表示領域Ｒ１３２、に表示される構成であってもよい。また、第１表示領域Ｒ１３１および第２表示領域Ｒ１３２の配置は、前述の実施形態に限定されない。例えば、第１表示領域Ｒ１３１および第２表示領域Ｒ１３２が上下に配置されていてもよい。
（６）
関連表示画像Ａｎおよび対象表示画像Ｂｎの表示方法は、前述の実施形態に限定されない。例えば図１６に示すように、関連表示画像Ａｎおよび対象表示画像Ｂｎの一部を拡大して表示させることで、関連表示画像Ａｎおよび対象表示画像Ｂｎの細かい部分をより比較しやすくなる。これにより、例えば絞り値の変化を撮影者がより確認しやすくなる。また、元の画像と拡大された画像とを同時に更新させる構成にしたり、あるいはスーパーインポーズの様に元の画像に拡大された画像を重ねるように表示させたりする構成であってもよい。
【００６１】
また、前述の実施形態では、関連画像ａ１に対する関連表示画像Ａ１の位置関係は、対象画像ｂ１に対する対象表示画像Ｂ１の位置関係と同じである。しかし、図１７に示すように、関連表示画像Ａ１１を関連画像ａ１１の左半分の画像とし、対象表示画像Ｂ１１を対象画像ｂ１１の右半分画像としてもよい。すなわち、関連表示画像Ａｎおよび対象表示画像Ｂｎが撮像部４５により取得された画像の中央線Ｅを基準に線対称の関係にある。この場合、関連表示画像Ａ１１を第１表示領域Ｒ１３１に表示させ対象表示画像Ｂ１１を第２表示領域Ｒ１３２に表示させると、被写体の構図が大きく変化しなければ、関連表示画像Ａ１１および対象表示画像Ｂ１１で１枚の画像のように表示することが可能となる。これにより、画像を比較する際の利便性がさらに高まる。
（７）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。
【００６２】
（８）
前述の実施形態では、深度確認ボタン７６を１回押せば深度確認モードに移行し、深度確認ボタン７６もう１回押せば深度確認モードが解除される。しかし、深度確認ボタン７６を押している間のみ、深度確認モードを継続させるような構成であってもよい。
（９）
前述の実施形態では、カメラシステム１００として一眼レフカメラを例に説明をしている。しかし、カメラシステム１００の実施形態はこれに限定されない。例えば、このカメラシステム１００は、コンパクトカメラなどに適用することも可能である。
（１０）
なお、上記説明に用いた座標軸、方向等は、本発明の使用状態を限定するものではない。
【産業上の利用可能性】
【００６３】
本発明に係るカメラシステムは、画像を比較する際の利便性を高めることできる。このため、複数の画像を並べて表示できる機能を有するカメラシステムとして有用である。
【図面の簡単な説明】
【００６４】
【図１】本発明の第１実施形態に係る交換レンズユニットとデジタルカメラ本体の制御システムを示すブロック図
【図２】本発明の第１実施形態に係るファインダ撮影モードを説明する概念図
【図３】本発明の第１実施形態に係るモニタ撮影モードを説明する概念図
【図４】本発明の第１実施形態に係るデジタルカメラの上面図
【図５】本発明の第１実施形態に係るデジタルカメラの背面図
【図６】（ａ）は、本発明の第１実施形態に係る絞りリングの外周面の展開図、（ｂ）は、本発明の第１実施形態に係る絞りリングの内周面の展開図
【図７】本発明の第１実施形態に係る絞りリングと絞りリニアセンサの結合を示す部分断面図
【図８】（ａ）は、本発明の第１実施形態のレンズ鏡筒の絞りリニアセンサの回路図、（ｂ）は、本発明の第１実施形態のレンズ鏡筒の絞りリニアセンサの出力を表すグラフ
【図９】本発明の第１実施形態に係る絞りリングの回転角度と絞りリニアセンサの出力値の関係を示すグラフ
【図１０】本発明の第１実施形態に係るデジタルカメラ内の制御システムを示すブロック図
【図１１】本発明の第１実施形態に係る交換レンズユニット内の制御システムを示すブロック
【図１２】深度確認モードのフローチャート
【図１３】深度確認モードのフローチャート
【図１４】液晶モニタの表示例
【図１５】液晶モニタの表示例
【図１６】液晶モニタの表示例（他の実施形態）
【図１７】液晶モニタの表示例（他の実施形態）
【符号の説明】
【００６５】
Ｌ  撮像光学系
Ｄｆ  焦点ずれ量
Ｘ  光路
１  カメラ本体
２  交換レンズユニット
４  クイックリターンミラー
９  ファインダ接眼窓
１０  シャッターユニット
１１  撮像センサ
１２  ボディーマイコン
１４  シャッター制御部
１５  画像表示制御部
１６  液晶モニタ（表示部）
１８  画像記録部
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
６０  クイックリターンミラー制御部
６１  クイックリターンミラー駆動モータ
６２  ズーム制御部
６５  フォーカス駆動モータ
７１  撮影／再生モード切り替えレバー
７２  ＭＥＮＵボタン
７５  撮影モード切り替えボタン
７６  深度確認ボタン
【図１】
2008299157.tif 000003
【図２】
2008299157.tif 000004
【図３】
2008299157.tif 000005
【図４】
2008299157.tif 000006
【図５】
2008299157.tif 000007
【図６】
2008299157.tif 000008
【図７】
2008299157.tif 000009
【図８】
2008299157.tif 000010
【図９】
2008299157.tif 000011
【図１０】
2008299157.tif 000012
【図１１】
2008299157.tif 000013
【図１２】
2008299157.tif 000014
【図１３】
2008299157.tif 000015
【図１４】
2008299157.tif 000016
【図１５】
2008299157.tif 000017
【図１６】
2008299157.tif 000018
【図１７】
2008299157.tif 000019